(57)【要約】【課題】開閉弁本体の肉厚等を厚くすることなく、弁本体寸法を大きくせずに開閉弁本体の弁座部に歪が発生し冷媒洩れすることを防止すること。【解決手段】開閉弁１０の弁棒１５を受入れ螺着する開閉弁本体１１の弁棒受入部１６の弁座部１６ｂに樹脂コーティングしたことにより、弁棒１５と弁座部１６ｂの螺接精度を上げて冷媒漏れを低減し気密性を有することとなり、冷媒漏れを低減したので、液側三方弁本体１１の肉厚等を従来より薄くすることができ、弁本体寸法が小さくなり室外機の配管カバーサイズも小さくでき、コンパクトで設置性を向上させることができる。【選択図】図２
2010164149.tif 000002
【特許請求の範囲】
【請求項１】
圧縮機、室外熱交換器、膨張弁を搭載した室外機と、室内熱交換器を搭載した室内機に分離され、前記室外機と前記室内機とを冷媒の封入／回収のための流路切換を可能とする開閉弁本体を介して配管接続し、冷凍サイクルを形成するようにした構成の空気調和機において、弁棒を受入れる弁棒受入部と、ロウ付配管部を有し、前記弁棒を螺着する前記開閉弁本体の前記弁棒受入部の弁座部に樹脂コーティングしたことを特徴とする空気調和機の開閉弁。
【請求項２】
弁棒受入部の弁座部と螺合する弁棒のネジ部にメッキ処理したことを特徴とする請求項１に記載の空気調和機の開閉弁。
【発明の詳細な説明】
【技術分野】
【０００１】
本発明は主に冷凍機・空気調和機の冷媒配管系に介装する開閉弁に関するものであって、特に弁体の通路を弁棒による開閉操作位置によるシール構造の改善に係る。
【背景技術】
【０００２】
従来、空気調和機の冷媒回路は、室内機と室外機を冷媒配管により接続した冷媒回路を形成し、室外機と室内機とを冷媒の封入／回収のための流路切換を可能とする開閉弁を介して配管接続している。そしてかかる空気調和機の冷媒回路は設置時には、配管接続後に室内側をエアーパージ及び冷媒封入するためサービスポートを有する開閉弁（例えば三方弁）を備えている。開閉弁の弁キャップを外し弁棒を開閉することにより、室内外間に於ける冷媒を連通するか閉止するかの操作を行うものである。
【０００３】
従来、開閉弁本体のフレア部にフレアナットをモンキーレンチ等の治工具で締付ける際に、過度のトルクで締付けて開閉弁本体の弁座部に歪が発生し冷媒洩れすることを防止するため、開閉弁本体の肉厚等を厚くして冷媒漏れを防止する発明がある（例えば、特許文献１参照）。
【特許文献１】特開平９−１５２２３１号公報
【発明の開示】
【発明が解決しようとする課題】
【０００４】
しかしながら、前記従来の構成では、モンキーレンチで２丁掛けするため弁本体寸法が大きくなり室外機の配管カバーサイズが大きくなるという課題を有していた。
【０００５】
本発明は、前記従来の課題を解決するもので、弁棒と弁座部の螺接精度を上げて冷媒漏れを低減し気密性を有した空気調和機の開閉弁を提供することを目的とする。
【課題を解決するための手段】
【０００６】
前記従来の課題を解決するために、本発明の空気調和機の開閉弁は、弁棒を受入れる弁棒受入部と、ロウ付配管部を有し、前記弁棒を螺着する前記開閉弁本体の前記弁棒受入部の弁座部に樹脂コーティングしたものである。
【０００７】
これによって、ロウ付け部に配管ロウ付けフラックス除去のための酸処理による開閉弁本体筒部の面粗さが悪くなっても、弁棒と弁座部の螺接精度を上げて冷媒漏れを低減し気密性を有することとなる。
【発明の効果】
【０００８】
本発明の空気調和機の開閉弁は、弁棒と弁座部の螺接精度を上げて冷媒漏れを低減したので、開閉弁本体の肉厚等を従来より薄くすることができ、弁本体寸法が小さくなり室外機の配管カバーサイズも小さくでき、コンパクトで設置性を向上させることができる。
【発明を実施するための最良の形態】
【０００９】
第１の発明は圧縮機、室外熱交換器、膨張弁を搭載した室外機と、室内熱交換器を搭載した室内機に分離され、前記室外機と前記室内機とを冷媒の封入／回収のための流路切換を可能とする開閉弁本体を介して配管接続し、冷凍サイクルを形成するようにした構成の空気調和機において、前記空気調和機の前記開閉弁の弁棒を受入れる弁棒受入部と、ロウ付配管部を有し、前記弁棒を螺着する前記開閉弁本体の前記弁棒受入部の弁座部に樹脂コーティングしたことにより、ロウ付け部に配管ロウ付けフラックス除去のための酸処理に
よる開閉弁本体筒部の面粗さが悪くなっても、弁棒と弁座部の螺接精度を上げて冷媒漏れを低減し気密性を有することとなり、冷媒漏れを低減したので、開閉弁本体の肉厚等を従来より薄くすることができ、弁本体寸法が小さくなり室外機の配管カバーサイズも小さくでき、コンパクトで設置性を向上させることができる。
【００１０】
第２の発明は、特に、第１の発明の弁棒受入部の弁座部と螺合する弁棒のネジ部にメッキ処理したことにより、弁棒と弁座部の螺接精度をより上げて冷媒漏れを低減し気密性を有することとなり、冷媒漏れを低減したので、開閉弁本体の肉厚等を従来より薄くすることができ、弁本体寸法が小さくなり室外機の配管カバーサイズも小さくでき、コンパクトで設置性を向上させることができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の冷凍サイクル構成図を示すものである。
【００１３】
図１において、圧縮機２、室外熱交換器４、膨張弁５、四方弁３を搭載した室外機１と、室内熱交換器８を搭載した室内機に分離され、室外機１と室内機とをガス側三方弁６、液側三方弁１０を介して接続配管７、接続配管９にて配管接続し、冷凍サイクルを形成する。液側三方弁１０は、冷媒の封入／回収のための流路切換を可能とする開閉弁である。
【００１４】
室外機１の圧縮機２より吐出した冷媒が四方弁３より室外機熱交換器４に流れ凝縮され、膨張弁５を流れてガス側三方弁６より接続配管７にて室内熱交換器８に流れ室内熱交換器８で蒸発した冷媒が接続配管９を経て液側三方弁１０から前記四方弁３より圧縮機２に戻るサイクルである。
【００１５】
図２は、本発明の第１の実施の形態における液側三方弁の（ａ）全体構造を示す縦断面図（ｂ）一部分解縦断面図を示すものである。
【００１６】
図２において、液側三方弁１０の構成と動作について説明する。液側三方弁本体１１には、その三方に室内配管側ポート１２、室外配管側ポート１３、サービスポート１４を有し、残る一方の弁棒受け入れ部１６に弁棒１５が装着されている。
【００１７】
室内配管側ポート１２には、室内熱交換器８に接続された接続配管９がフレアナット１７を介して接続され、室外配管側ポート１３には、銅管１８がフラックス剤を介してロウ付け接続されて同様に室外熱交換器４側の配管に接続されるようになっている。
【００１８】
サービスポート１４にはバルブコア１９が挿入されておりサービスポートキャップ２０が取りつけられている。通常は密封されているが、空気調和機の設置時には、このサービスポート１４から真空引きを行う。
【００１９】
弁棒１５には、ネジ部１５ａ、六角レンチ用挿入穴１５ｂ、Ｏリング２２を介装する溝部１５ｃを一体に備える。弁棒１５のネジ部１５ａは、弁棒受入部１６のネジ部１６ａと螺合しており、六角レンチ用挿入穴１５ｂに六角レンチを用いて回転操作をすることにより弁棒１５を進退させる。
【００２０】
弁棒１５は真鍮材からなり、ネジ部１５ａを備える。ネジ部１５ａにはフッ素コーティング約６ミクロンの薄膜処理が施され、更にネジ加工後Ｎｉメッキ処理されている。
【００２１】
弁棒受入部１６は真鍮材からなり、弁棒１５のネジ部１５ａと螺接するネジ部１６ａを弁座部１６ｂに備える。ネジ部１６ａにはフッ素コーティング約６ミクロンの薄膜処理が施されている。この組合せにより銅管９がフラックス剤を介してロウ付け接続され、後酸洗いによる寸法変化の影響を受けず、弁棒１５と弁棒受入部１６の設計通りの寸法にでき冷媒漏れを防止できる。
【００２２】
以上のように、本実施の形態においては、冷媒の封入／回収のための流路切換を可能とする液側三方弁１０の弁棒１５を受入れる弁棒受入部１６と、ロウ付配管部９を有し、弁棒１５を螺着する液側三方弁本体１１の弁棒受入部１６の弁座部１６ｂに樹脂コーティングしたことにより、ロウ付け部に配管ロウ付けフラックス除去のための酸処理による液側三方弁本体１１の内筒部の面粗さが悪くなっても、弁棒１５と弁座部１６ｂの螺接精度を上げて冷媒漏れを低減し気密性を有することとなり、冷媒漏れを低減したので、液側三方弁本体１１の肉厚等を従来より薄くすることができ、弁本体寸法が小さくなり室外機の配管カバーサイズも小さくでき、コンパクトで設置性を向上させることができる。
【００２３】
また、弁棒受入部１６の弁座部１６ｂと螺合する弁棒１５のネジ部１５ａにメッキ処理したことにより、弁棒と弁座部の螺接精度をより上げて冷媒漏れを低減し気密性を有することとなり、冷媒漏れを低減したので、開閉弁本体の肉厚等を従来より薄くすることができ、弁本体寸法が小さくなり室外機の配管カバーサイズも小さくでき、コンパクトで設置性を向上させることができる。
【産業上の利用可能性】
【００２４】
以上のように、本発明にかかる空気調和機の開閉弁は、弁棒と弁座部の螺接精度を上げて冷媒漏れを低減したので、開閉弁本体の肉厚等を従来より薄くすることができ、弁本体寸法が小さくなり室外機の配管カバーサイズも小さくでき、コンパクトで設置性の向上が可能となるので、システムエアコン等の用途にも適用できる。
【図面の簡単な説明】
【００２５】
【図１】本発明の実施の形態１における空気調和機の冷凍サイクル構成図
【図２】本発明の実施の形態１における液側三方弁の（ａ）は全体構造を示す縦断面図（ｂ）は一部分解縦断面図
【符号の説明】
【００２６】
１  室外機
２  圧縮機
３  四方弁
４  室外熱交換器
５  膨張弁
６  ガス側三方弁
７、９  接続配管
８  室内熱交換器
１０  液側三方弁
１１  液側三方弁本体
１２  室内配管側ポート
１３  室外配管側ポート
１４  サービスポート
１５  弁棒
１５ａ  ネジ部
１５ｂ  六角レンチ用挿入穴
１５ｃ  溝部
１６  弁棒受け入れ部
１６ａ  ネジ部
１６ｂ  弁座部
１７  フレアナット
１８  銅管
１９  バルブコア
２０  サービスポートキャップ
２１  弁棒キャップ
２２  Ｏリング
【図１】
2010164149.tif 000003
【図２】
2010164149.tif 000004